(57)【要約】      （修正有）【課題】室内の空気循環量の増加と殺菌性能の向上を両立でき、かつ、より殺菌力が得られる空気換気装置を提供する。【解決手段】空気換気装置１０は、ドラム缶と、ドラム缶の内部に設けられたＵＶＣ装置１７と、ドラム缶の上蓋に設けられ、空気を吸引する吸気口１１と、吸気口１１から給気された空気を排気する排気口１６と、吸気口１１と排気口１６とを接続する配管１３と、を含む。配管１３の途中には、配管開口部１４が設けられ、配管開口部１４から解放された空気は、ＵＶＣ装置１７によって殺菌される。【選択図】図２
0003233265.tif 000002
【実用新案登録請求の範囲】
【請求項１】
空気を吸引して紫外線で殺菌する空気換気装置であって、
空気を吸引する密閉容器を含み、
前記密閉容器は、その内部に設けられた紫外線を発するＵＶＣ装置と、
前記密封容器の上部に設けられ、空気を流入する流入口と、
前記流入口から流入した空気を排気する排気口と、
空気を前記流入口から前記排気口まで搬送するファンと、
前記吸気口と前記排気口とを接続する配管と、を含み、
前記配管の途中には、配管開口部が設けられ、前記配管開口部から解放された空気は、前記ＵＶＣ装置によって殺菌される、空気換気装置。
【請求項２】
前記密封容器はドラム缶である、請求項１に記載の空気換気装置。
【請求項３】
前記ファンは前記ドラム缶に設けられ、前記ファンの排気側に前記排気口が設けられる、請求項２に記載の空気換気装置。
【請求項４】
前記ドラム缶には、上蓋が設けられ、前記ＵＶＣ装置、前記流入口、前記排気口、および前記ファンは、前記ドラム缶の上蓋に取付けられている、請求項２に記載の空気換気装置。
【考案の詳細な説明】
【技術分野】
【０００１】
この考案は、紫外線を使用した空気換気装置に関し、特に、構成の簡単な紫外線を使用した空気換気装置に関する。
【背景技術】
【０００２】
従来、室内に配置されて、室内の空気を殺菌する特開２０１１−１８３１２６号公報（特許文献１）に記載されている。特許文献１によれば、空気殺菌装置は、室内の空気循環量の増加と殺菌性能の向上を両立させ、装置内部の細菌やカビの繁殖を抑える事のできる循環式空気殺菌装置を開示している。
【先行技術文献】
【特許文献】
【０００３】
【特許文献１】特開２０１１−１８３１２６号公報（要約等）
【考案の概要】
【考案が解決しようとする課題】
【０００４】
従来の空気換気装置は、上記のように構成されていた。室内の空気循環量の増加と殺菌性能の向上を両立できると言う利点はあったが、殺菌性能があまり高くないという問題があった。
【０００５】
この考案は上記のような問題点を解消するためになされたもので、室内の空気循環量の増加と殺菌性能の向上を両立でき、かつ、より殺菌力が得られる空気換気装置を提供することを目的とする。
【課題を解決するための手段】
【０００６】
この考案に係る、空気を吸引して紫外線で殺菌する空気換気装置は、空気を吸引する密閉容器を含む。密閉容器は、その内部に設けられた紫外線を発するＵＶＣ装置と、密封容器の上部に設けられ、空気を流入する流入口と、流入口から流入した空気を排気する排気口と、空気を流入口から排気口まで搬送するファンと、吸気口と排気口とを接続する配管と、を含み、配管の途中には、配管開口部が設けられ、配管開口部から解放された空気は、ＵＶＣ装置によって殺菌される。
【０００７】
好ましくは、密封容器はドラム缶である。
【０００８】
ファンはドラム缶に設けられ、ファンの排気側に排気口が設けられてもよい。
【０００９】
ドラム缶には、上蓋が設けられ、ＵＶＣ装置、流入口、排気口、およびファンは、ドラム缶の上蓋に取付けられているのが好ましい。
【考案の効果】
【００１０】
ＵＶＣ装置を内蔵した密封容器内に配管を介して空気を導入し、配管の途中に開口部を設け、開口部から解放された空気が、ＵＶＣ装置によって殺菌されるため、密封容器内に吸引された空気の一部は、密封容器内での滞留期間が長くなり、ＵＶＣ装置によって殺菌される。
【００１１】
その結果、室内の空気循環量の増加と殺菌性能の向上を両立でき、かつ、より殺菌力が得られる空気換気装置を提供できる。
【図面の簡単な説明】
【００１２】
【図１】空気換気装置の全体構成を示す斜視図である。
【図２】空気換気装置の全体構成を示すブロック図である。
【図３】ＵＶＣ装置を示す図である。
【考案を実施するための形態】
【００１３】
以下、この考案の実施の形態を、図面を参照して説明する。図１は、この考案に係る空気換気装置の全体構成を示す斜視図であり、図２は、空気換気装置の全体構成を示すブロック図である。
【００１４】
図１を参照して、この考案に係る空気換気装置１０は単一のドラム缶２０で構成されている。したがって、どこにでも配置ができ、かつその移動も容易である。
【００１５】
図１を参照して、空気換気装置１０は、ドラム缶２０の上蓋２１に設けられた空気を吸引する吸気口（流入口）１１と、吸気口１１から給気された空気を排気する排気口１６とを含み、排気口１６の下部には吸気用のファン１５が設けられ、このファン１５や吸気口がドラム缶２０の上蓋に固定されている。
【００１６】
次に、空気換気装置１０の内部構造について説明する。図２はドラム缶２０の内部構成を示す図である。図２を参照して、ドラム缶２０の上蓋２１に設けられた吸気口１１と、吸気ファン１５との間にはこの両者を接続する配管１３が設けられている。配管１３の途中には、配管開口部１４が設けられている。
【００１７】
また、ドラム缶２０の上蓋２１の下方には、所定の紫外線を放出するＵＶＣ装置１７が設けられ、それによって、配管開口部１４から解放された空気は、ＵＶＣ装置１７によって殺菌される。
【００１８】
図３は、ＵＶＣ装置１７を示す外観図である。図３を参照して、ＵＶＣ装置１７は、薄い板状の本体１７ａと、本体１７ａの上にマトリックス状に配列されたＵＶＣ１７ｂと、本体を保持するブラケット１７ｃとを含む。ＵＶＣ装置１７は、ブラケット１７ｃを介して、上蓋２１に固定される。ＵＶＣ１７ｂは、殺菌や消毒の機能を有するＵＶＣ紫外線（波長は２８０ｎｍ未満）を周囲に照射する。
【００１９】
以上のように、この実施の形態によれば、空気換気装置１０の、空気を吸引し、それを殺菌するために必要な全ての構成要素がドラム缶の上蓋２１に取付けられているため、構成が簡単になる。
【００２０】
次に、この実施の形態に係る空気換気装置１０の空気循環量の基本計算式について説明する。表１は、この実施の形態に係る空気換気装置の空気循環量の基本計算式を示す表である。
【００２１】
【表１】
0003233265.tif 000003
【００２２】
表１を参照して、各部屋のサイズ（畳の数）ごとに、ファンの風量による、時間あたりの換気回数と、照射回数を示している。
【００２３】
なお、上記実施の形態においては、密封容器としてドラム缶を用いた場合について説明したが、これに限らず、段ボール等の任意の密封容器を用いてもよい。
【００２４】
また、上記実施の形態においては、排気側に吸気ファンを用いた場合について説明したが、これに限らず、吸気側に吸気ファンを用いてもよい。
【００２５】
また、上記実施の形態においては、密封容器に吸気ファンを取付けた場合について説明したが、これに限らず、密封容器に吸気ファンを設けることなく、エアコン等の空調機の吸気側に本装置の配管の排気側を接続してもよい。
【００２６】
また、上記実施の形態においては、配管の途中に、配管開口部を１カ所設けた場合について説明したが、これに限らず、配管開口部を複数設けてもよい。
【００２７】
図面を参照してこの発明の実施形態を説明したが、本発明は、図示した実施形態に限定されるものではない。本発明と同一の範囲内において、または均等の範囲内において、図示した実施形態に対して種々の変更を加えることが可能である。
【産業上の利用可能性】
【００２８】
この考案によれば、室内の空気循環量の増加と殺菌性能の向上を両立でき、かつ、より殺菌力が得られる空気換気装置を提供できるため、殺菌力を有する空気換気装置として有利に利用される。
【符号の説明】
【００２９】
１０  空気換気装置、１１  吸気口、１３  配管、１４  配管開口部、１５  ファン、１６  排気口、１７  ＵＶＣ装置、２０  ドラム缶、２１  上蓋。
【図１】
0003233265.tif 000004
【図２】
0003233265.tif 000005
【図３】
0003233265.tif 000006
【手続補正書】
【提出日】令和3年5月24日(2021.5.24)
【手続補正１】
【補正対象書類名】実用新案登録請求の範囲
【補正対象項目名】全文
【補正方法】変更
【補正の内容】
【実用新案登録請求の範囲】
【請求項１】
空気を吸引して紫外線で殺菌する空気換気装置であって、
空気を吸引する密閉容器を含み、
前記密閉容器は、その内部に設けられた紫外線を発するＵＶＣ装置と、
前記密封容器の上部に設けられ、空気を流入する流入口と、
前記流入口から流入した空気を排気する排気口と、
空気を前記流入口から前記排気口まで搬送するファンと、
前記流入口と前記排気口とを接続する配管と、を含み、
前記配管の途中には、配管開口部が設けられ、前記配管開口部から解放された空気は、前記ＵＶＣ装置によって殺菌される、空気換気装置。
【請求項２】
前記密封容器はドラム缶である、請求項１に記載の空気換気装置。
【請求項３】
前記ファンは前記ドラム缶に設けられ、前記ファンの排気側に前記排気口が設けられる、請求項２に記載の空気換気装置。
【請求項４】
前記ドラム缶には、上蓋が設けられ、前記ＵＶＣ装置、前記流入口、前記排気口、および前記ファンは、前記ドラム缶の上蓋に取付けられている、請求項２に記載の空気換気装置。